(57)【特許請求の範囲】
【請求項１】
起伏自在なラチスブームの先端のポイントシーブ支持ブラケットによりポイントシーブピン(2)を支持し、このポイントシーブピン(2)によりポイントシーブ(3)を軸支し、このポイントシーブ(3)により杭を打設する杭打ち装置を吊持する主フック(5)を巻上げ・巻下げる主巻ロープ(4)を掛装すると共に、前記ポイントシーブ(3)の外側であって、かつ前記ポイントシーブピン(2)の径方向の中心を通る軸心位置において補助シーブ(7)，(7)を軸支し、これら補助シーブ(7)，(7)のそれぞれに打設すべき杭を、この杭の杭頭の中心と前記杭打ち装置の中心を合致させた状態で吊持する補助フック(9)を巻上げ・巻下げる補巻ロープ(8)を掛装したことを特徴とする杭打設用移動式クレーン。
【請求項２】
前記補助シーブ(7)，(7)を軸支するピンが、前記ポイントシーブ(3)を軸支するポイントシーブピン(2)であることを特徴とする請求項１に記載の杭打設用移動式クレーン。
【発明の詳細な説明】
【０００１】
【発明の属する技術分野】
本発明は、例えば基礎工事等のために地盤に杭を打ち込む杭打設用移動式クレーンの改善に関し、より詳しくは、杭打ち装置と地盤に打設する杭の杭頭との心を容易に合わせることを可能ならしめるようにした杭打設用移動式クレーンの技術分野に属するものである。
【０００２】
【従来の技術】
周知のとおり、移動式クレーンは、主としてビル等の各種建築物の建設現場等において各種資材のクレーン作業に使用されている。このような用途以外には、例えば油圧式、機械式のバイブロハンマー等の杭打ち装置を吊持することにより各種建築物を構築するための基礎工事、河川の岸壁や港湾工事等における連壁構築のための杭打ち機としても多用されている。以下、従来例に係る移動式クレーンを利用した杭打ち機、つまり基礎工事等のための杭打設用移動式クレーンの構成を、杭打ち装置と杭とを吊持した状態を示すそのラチスブーム頂部付近の構成説明図の図２と、杭打ち装置と杭とを吊持した状態を示すそのラチスブーム頂部付近の模式的構成説明図の図３とを参照しながら説明する。
【０００３】
先ず、従来例に係る杭打設用移動式クレーン本体の構成（図示省略）を説明すると、これは、前後進かつ操行自在な履帯走行式の走行台車の上に、運転席、エンジン、各種油圧機器類、ウインチ類、ガントリー、カウンターウエイト等を備え、旋回モータにより左右方向に可逆自在に旋回される旋回体が旋回ベアリングを介して搭載されると共に、この旋回体に水平なブームフットピンを介して、ウインチにより巻取り・巻戻されるブーム起伏ロープにより起伏される鋼管が骨組形成されてなる構成のラチスブームが支持されてなる構成になっている。
【０００４】
次に、図２および図３を参照しながら、杭打設用移動式クレーンのラチスブーム頂部付近の構成を説明する。
即ち、図２に示す符号１は、図示しない前記旋回体により起伏自在に支持されてなるラチスブームで、このラチスブーム１の先端にはポイントシーブピン２を水平支持するポイントシーブ支持ブラケット１ａが設けられている。このポイントシーブピン２により、図３に示すように、複数のポイントシーブ３が軸支されており、そしてこれらポイントシーブ３により杭を打設する杭打ち装置１０を吊持する主フック５を巻上げ・巻下げる主巻ロープ４が掛装されている。
【０００５】
また、ラチスブーム１の先端には、図２に示すように、補助ブーム６が突設されており、この補助ブーム６の先端に設けられた補助シーブピン６ａによって補助シーブ７が軸支されている。そして、この補助シーブ７には、地盤に打設すべき杭Ｐを吊持する補助フック９を巻上げ・巻下げる補巻ロープ８が掛装されてなる構成になっている。
【０００６】
従って、このような構成になる杭打設用移動式クレーンにより、地盤に杭Ｐを打設するときには、図示しない主巻ウインチで主巻ロープ４を巻下げ・巻上げることによって主フック５で杭打ち装置１０を吊持し、図示しない補巻ウインチで補巻ロープ８を巻下げ・巻上げることによって補助フック９で地盤に打設すべき杭Ｐを吊持する。そして、補巻ウインチで補巻ロープ８を巻下げて杭Ｐを下降させると共に、地盤に垂直に立設する。次いで、地盤に立設された杭Ｐの杭頭の中心に杭打ち装置１０の中心を合致させるためにラティスブーム１を少し伏せて心合わせを行う。
【０００７】
このようにして杭打ち装置１０の中心と杭Ｐの杭頭の中心との心合わせが終了すると、主巻ウインチにより主巻ロープ４を巻下げて杭打ち装置１０を下降させると共に、例えば杭打ち装置１０の油圧チャックにより杭Ｐの杭頭部を掴んで杭Ｐの打設が開始されることになる。
なお、杭Ｐを地盤に打設する前に、上記のように、杭打ち装置１０と杭Ｐの杭頭との心合わせを行うのは、地盤に杭Ｐを垂直に打設するためであって、もし杭打ち装置１０と杭Ｐの杭頭との心が合っていないと杭Ｐが傾いた状態で打設されてしまうからである。
【０００８】
【発明が解決しようとする課題】
上記従来例に係る杭打設用移動式クレーンによると、図２や図３から良く理解されるように、杭の吊持位置が杭打ち装置の吊持位置よりも前方位置であって、それらの位置が前後にずれている。従って、地盤に垂直に立設された杭を打設する前に、上記のとおり、必ず杭打ち装置と杭の杭頭との心合わせ作業を行わなければならない。
【０００９】
杭打ち装置と杭の杭頭との心合わせのために、ラチスブームを伏せて杭打ち装置を前方方向に移動（前方への移動距離は杭打設用移動式クレーンの大きさによって相違するが、例えば６００ｍｍ程度である。）させると、この杭打ち装置はラチスブームを起伏自在に支持するフットピンを中心とする半径の円弧を描いて移動するが、ラチスブームの停止時における移動速度の水平成分に起因する慣性力のために杭打ち装置が前後に揺れるので、杭の杭頭に対する杭打ち装置の位置を確認するために、この杭打ち装置の揺幅が一定の範囲内の揺幅に減衰するまで待つ必要がある。
【００１０】
ラチスブームを伏せるという作業の所要時間は高々１０秒程度であって、それ程の長時間を必要としない。しかしながら、通常、ラチスブームを伏せて杭打ち装置の揺れの減衰を待つということを数回繰返さなければならない。
つまり、杭打ち装置の揺れの振幅の減衰を待つという繰返しに要する時間が例えば５分以上もかかるので、杭の打設作業能率を向上させることができないという解決すべき課題があった。
【００１１】
従って、本発明の目的とするところは、杭打ち装置と杭の杭頭との心合わせ作業を不要ならしめる杭打設用移動式クレーンを提供することである。
【００１２】
【課題を解決するための手段】
発明者等は、杭打設用移動式クレーンを、杭打ち装置と杭の杭頭との心が合うように吊持し得る構成にすれば、ラチスブームを少し伏せると共に、これに起因して生じる杭打ち装置の揺れの減衰を待つというような心合わせ作業が不要になると考えてなしたものである。
【００１３】
従って、上記課題を解決するために、本発明の請求項１に係る杭打設用移動式クレーンが採用した手段は、起伏自在なラチスブームの先端のポイントシーブ支持ブラケットによりポイントシーブピン(2)を支持し、このポイントシーブピン(2)によりポイントシーブ(3)を軸支し、このポイントシーブ(3)により杭を打設する杭打ち装置を吊持する主フック(5)を巻上げ・巻下げる主巻ロープ(4)を掛装すると共に、前記ポインシーブ(3)の外側であって、かつ前記ポイントシーブピン(2)の径方向の中心を通る軸心位置において補助シーブ(7)，(7)を軸支し、これら補助シーブ(7)，(7)のそれぞれに打設すべき杭を、この杭の杭頭の中心と前記杭打ち装置の中心を合致させた状態で吊持する補助フック(9)を巻上げ・巻下げる補巻ロープ(8)を掛装したことを特徴とする。
【００１４】
また、上記課題を解決するために、本発明の請求項２に係る杭打設用移動式クレーンが採用した手段は、請求項１に記載の杭打設用移動式クレーンにおいて、前記補助シーブ(7) ，(7) を軸支するピンが、前記ポイントシーブ(3) を軸支するポイントシーブピン(2) であることを特徴とする。
【００１５】
【発明の実施の形態】
以下、本発明の実施の形態に係る杭打設用移動式クレーンの構成を、杭打ち装置と杭とを吊持した状態を示す模式的主要部構成説明図の図１を参照しながら説明する。但し、杭打設用移動式クレーン本体の構成については履帯式の走行台車と、旋回体、ラチスブームとを備えてなる構成であって、従来例に係る杭打設用移動式クレーン本体と同構成であるから、杭打設用移動式クレーン本体に係る説明は割愛し、主としてその構成上相違する点について、従来と同一のもの並びに同一機能を有するものを同一符号を以て説明する。
【００１６】
即ち、図において示す符号２は、図示しないラチスブームの先端のポイントシーブ支持ブラケットにより水平支持されてなるポイントシーブピンで、このポイントシーブピン２の長手方向の中央部分には４個のポイントシーブ３，３，３，３が取付けられると共に、前記ポイントシーブピン２のこれら４個のポイントシーブ３，３，３，３の外側位置に２個の補助シーブ７，７が取付けられている。
【００１７】
前記４個のポイントシーブ３，３，３，３には主フック５が、図示しない主巻ウインチによって巻上げ・巻下げられる主巻ロープ４を介して吊持されている。
より詳しくは、前記主フック５は、そのフック支持ピン５ａに取付けられた４個のフックシーブ５ｂ，５ｂ，５ｂ，５ｂと前記ポイントシーブ３，３，３，３とに主巻ロープ４が掛回されることにより吊持されており、そしてこの主フック５には周知の構成になる杭打ち装置１０が吊持されている。
なお、上記のとおり、ポイントシーブ３とフックシーブ５ｂとは何れも４個ずつ配設されているが、これはただ単なる設計上の問題であって、例えば３個ずつ以下であっても、また５個ずつ以上であっても良いものである。
【００１８】
前記２個の補助シーブ７，７のそれぞれには、図示しない補巻ウインチによって同期して巻上げ・巻下げられる補巻ロープ８が掛装されると共に、これら補巻ロープ８には補助フック９が取付けられている。そして、これら補助フック９，９に掛けられてなる吊上用ロープ９ａ，９ａが、外周部に固着されている逆Ｕの字状の吊フック（必要に応じて着脱される。）に掛けられることにより円筒状の鋼管杭Ｐが吊持されている。なお、特に円筒状の鋼管杭Ｐである必要がなく、例えば角筒状の鋼管杭であっても、また矢板であっても良い。つまり、杭の形状は工事の種類により選択されるものである。
【００１９】
以下、上記構成になる杭打設用移動式クレーンの作用態様を説明すると、上記のとおり、杭打ち装置１０を吊持する主フック５を主巻ロープ４を介して吊持する４個のポイントシーブ３，３，３，３と、鋼管杭Ｐを吊持する補助フック９，９を補巻ロープ８，８を介して吊持する補助シーブ７，７とは何れも１本のポイントシーブピン２に取付けられているので、従来例に係る杭打設用移動式クレーンのように、杭打ち装置と杭との心合わせを行うに際してラチスブームを少し伏せるまでもなく、杭打ち装置１０の中心と鋼管杭Ｐの杭頭の中心とはこれらが吊持された時点で既に合致している。
【００２０】
従って、前記補巻ロープ８，８を同期させて巻下げて鋼管杭Ｐを下降させると共に、下降させた鋼管杭Ｐを地盤に垂直に立設する。次いで、主巻ウインチにより主巻ロープ４を巻下げて主フック５を下降させるだけで、杭打ち装置１０は地盤に立設されている鋼管杭Ｐの杭頭の中心に向かって前後方向に揺れることなく下降するから、従来例に係る杭打設用移動式クレーンのように、杭打ち装置と杭の杭頭との心合わせを行うに際してラチスブームを少し伏せる必要も、また杭打ち装置１０の前後方向の揺れの減衰を待つ必要もない。
【００２１】
そのため、本発明の実施の形態に係る杭打設用移動式クレーンによれば、従来例に係る杭打設用移動式クレーンに比較して、極めて短時間のうちに鋼管杭Ｐの打設作業を開始することができ、鋼管杭Ｐの打設作業能率の向上に対して大いに寄与することができるという極めて優れた効果がある。
【００２２】
なお、以上では、上記のとおり、杭打ち装置１０を吊持する主フック５を主巻ロープ４を介して吊持する４個のポイントシーブ３，３，３，３と、鋼管杭Ｐを吊持する補助フック９，９を補巻ロープ８，８を介して吊持する２個の補助シーブ７，７とは何れも１本のポイントシーブピン２に取付けられている杭打設用移動式クレーンを例として説明したが、４個のポイントシーブ３，３，３，３と２個の補助シーブ７，７とは同一軸線を回転中心とする位置に軸支されていれば良い。
【００２３】
従って、４個のポイントシーブ３，３，３，３と、補助シーブ７，７とをそれぞれ個別のピンによって軸支する構成にすることができるので、上記実施の形態に係る杭打設用移動式クレーンによって本発明の技術的思想の範囲が限定されるものではなく、また本発明の技術的思想の範囲を逸脱しない範囲内における設計変更等は自由自在である。
【００２４】
【発明の効果】
以上詳述したように、本発明の請求項１に係る杭打設用移動式クレーンによれば杭打ち装置を吊持する主フックを主巻ロープを介して吊持するポイントシーブと、杭を吊持する補助フックを補巻ロープを介して吊持する補助シーブとは同一軸線上において軸支されており、また本発明の請求項２に係る杭打設用移動式クレーンによれば杭打ち装置を吊持する主フックを主巻ロープを介して吊持するポイントシーブと、杭を吊持する補助フックを補巻ロープを介して吊持する補助シーブとは何れもポイントシーブピンによって軸支されている。
【００２５】
従って、本発明に係る杭打設用移動式クレーンによれば、杭打ち装置の中心と杭の杭頭の中心とはこれらが吊持された時点で既に合致しており、杭打ち装置は地盤に立設されている杭の杭頭の中心に向かって前後方向に揺れることなく下降するので、従来例に係る杭打設用移動式クレーンのように、杭打ち装置と杭の杭頭との心合わせを行うに際してラチスブームを少し伏せるまでもなく、また杭打ち装置の揺れの減衰を待つまでもなく杭の打設作業を開始することができ、杭の打設作業能率の向上に対して大いに寄与することができるという極めて優れた効果がある。
【図面の簡単な説明】
【図１】本発明の実施の形態に係る杭打設用移動式クレーンの、杭打ち装置と杭とを吊持した状態を示す模式的主要部構成説明図である。
【図２】従来例に係り、杭打ち装置と杭とを吊持した状態を示す杭打設用移動式クレーンのラチスブーム頂部付近の構成説明図である。
【図３】従来例に係り、杭打ち装置と杭とを吊持した状態を示す杭打設用移動式クレーンのラチスブーム頂部付近の模式的構成説明図である。
【符号の説明】
１…ラチスブーム，１ａ…ポイントシーブ支持ブラケット
２…ポイントシーブピン
３…ポイントシーブ
４…主巻ロープ
５…主フック．５ａ…フック支持ピン，５ｂ…フックシーブ
７…補助シーブ
８…補巻ロープ
９…補助フック，９ａ…吊上用ロープ
１０…杭打ち装置
Ｐ…鋼管杭
【図１】
0003712801.tif 000002
【図２】
0003712801.tif 000003
【図３】
0003712801.tif 000004